(57)【要約】  一対のリンクロッドのフック部の、ロック部への片掛かりを防止し、カム斜面の長さを長く確保できる、開閉体のロック装置を提供する。  このロック装置１０は、ハウジング２０と、回転部材５０と、フック部９２を設けた一対のリンクロッド９０，９１と、回転部材５０を回転付勢するスプリング９５と、ハウジング２０に押し込み可能に取付けられた操作部材６０とを備え、回転部材５０にカム突起５５が形成され、操作部材６０に、カム突起５５が当接するカム斜面７１を有する壁部７０が形成されており、操作部材６０を押し込むことで、回転部材５０がスプリング９５の付勢力に抗して回転し、リンクロッド９０，９１のフック部９２がロック部に係合しない位置にスライドするように構成されている。
2013187388.tif 000002
【特許請求の範囲】
【請求項１】
固定体の開口部に開閉可能に取付けられる開閉体のロック装置であって、
前記開閉体の両側又は前記固定体の開口部両側のどちらか一方に設けられたロック部と、
前記開閉体又は前記固定体のどちらか他方に取付けられたハウジングと、
該ハウジングに回転可能に装着された回転部材と、
前記回転部材の回転に連動して同期してスライド動作し、先端に形成されたフック部が前記ロック部に係脱する一対のリンクロッドと、
前記リンクロッドの各フック部を前記ロック部に係合させる方向に、前記リンクロッドを付勢するスプリングと、
前記ハウジングに押し込み可能に取付けられた操作部材とを備え、
前記回転部材又は前記操作部材の一方にカム斜面を有する壁部が形成され、前記回転部材又は前記操作部材の他方にカム当接部が形成され、前記カム当接部が前記カム斜面に当接することで、前記操作部材の押し込み力を前記回転部材の回転力に変換するように構成されており、
前記操作部材を押し込むことにより、前記回転部材が前記スプリングの付勢力に抗して回転し、前記一対のリンクロッドをそれらのフック部が前記ロック部に係合しない位置にスライドさせるように構成されていることを特徴とする開閉体のロック装置。
【請求項２】
前記カム当接部は、前記回転部材の回転中心に対して周方向に均等に少なくとも２箇所に配置されている請求項１記載の開閉体のロック装置。
【請求項３】
前記壁部は、前記回転部材の回転軸を中心とする回転軸方向から見て、円弧状又は円筒状をなして形成されており、該壁部の端面が、周方向に沿って次第に低くなるように形成されて、前記カム斜面をなしている請求項１又は２に記載の開閉体のロック装置。
【請求項４】
前記操作部材は、前記ハウジングの表面側に押し込み可能に取付けられ、
前記回転部材は、前記ハウジングの裏面側に回転可能に装着されている請求項１記載の開閉体のロック装置。
【請求項５】
前記ハウジング又は前記回転部材のうち、一方から軸部が突設され、該軸部の先端部外周から外径側に向けて突起が形成されており、
前記ハウジング又は前記回転部材の他方に、前記軸部が挿通される軸孔と、該軸孔に連通して前記突起を通過させる溝部とが形成されており、
前記溝部に前記突起を整合させて、前記軸孔に前記軸部を挿入し、前記溝部から前記突起を挿出させた状態で、前記回転部材を所定方向に回転させることで、前記軸孔の周縁に前記突起が係合して、前記回転部材が抜け止めされるように構成されている請求項４記載の開閉体のロック装置。
【請求項６】
前記ハウジングに対して前記操作部材を離反する方向に付勢するコイルスプリングを更に備えており、
前記軸部には、前記コイルスプリングの一端を収容して支持する支持凹部が形成されている請求項５記載の開閉体のロック装置。
【請求項７】
前記回転部材又は前記操作部材に形成された、前記カム斜面を有する壁部の内径側又は外径側に、円筒部が一体的に設けられており、
該円筒部は、前記操作部材が押し込まれて、前記カム当接部が前記カム斜面に当接し、前記回転部材が回転するときに、前記カム当接部のガイドをなす請求項１〜６のいずれか１つに記載の開閉体のロック装置。
【請求項８】
前記回転部材に前記カム斜面を有する壁部が設けられ、前記操作部材に前記カム当接部が形成されている請求項４〜７のいずれか１つに記載の開閉体のロック装置。
【請求項９】
前記回転部材は、前記ハウジングと前記操作部材との間であって、前記ハウジングの内側に回転可能に装着されている請求項１〜３のいずれか１つに記載の開閉体のロック装置。
【請求項１０】
前記操作部材に前記カム斜面を有する壁部が設けられ、前記回転部材に前記カム当接部が形成されている請求項９記載の開閉体のロック装置。
【請求項１１】
前記カム当接部は、円弧状の先端面を有し、該円弧状の先端面が前記カム斜面に当接する請求項１〜１０のいずれか１つに記載の開閉体のロック装置。
【請求項１２】
前記一対のリンクロッドは、前記回転部材の外周の対向する位置に、それぞれ枢着されている請求項１〜１１のいずれか１つに記載の開閉体のロック装置。
【発明の詳細な説明】
【技術分野】
【０００１】
本発明は、固定体の開口部に開閉可能に取付けられる開閉体を閉じた状態にロックするための、開閉体のロック装置に関する。
【背景技術】
【０００２】
例えば、自動車のグローブボックス等の固定体に形成された開口部には、リッド等の開閉体が開閉可能に取付けられている。そして、開口部をリッド等で閉じた状態にロックすると共に、開口部からリッド等を開いた状態とするためのロック装置が設けられている。【０００３】
従来のこの種のロック装置として、下記特許文献１には、支持体の開口部に開閉可能に取付けられた開閉部材に設置されたロック装置本体と、開閉部材を閉じたときに、ロック装置本体を囲むように開閉部材に形成された切欠き部とを備え、ロック装置本体は、支持体に取付けられるハウジングと、一対のロックピンと、一対のロックピン間に介装され、各ロックピンを両側外方に向けて付勢するスプリングと、一対のロックピンをスプリングに抗して引き込ませる操作部材とを有する、開閉部材のロック装置が記載されている。前記操作部材の裏面側からは、カム面を有する一対の押し部材が突設されており、一対のロックピンの基端部には、前記カム面が摺接する傾斜面がそれぞれ形成されている。【０００４】
そして、支持体開口部を開閉部材で閉じた状態で、操作部材を押し込むと、一対の押し部材の各カム面が、一対のロックピンの各傾斜面を摺動して、スプリングの付勢力に抗して一対のロックピンが互いに近接する方向にそれぞれスライドし、ロックピン先端の係合爪が開閉部材の切欠き部両側の係合孔から引き込まれて、開閉部材が開くようになっている。【０００５】
また、下記特許文献２には、リッド裏側に軸支されたロータと、該ロータにそれぞれ連結された一対のロッドと、リッド表側に押し引き可能に取付けられ、押し引き操作によりロータを回動させるノブと、ロータを回動付勢するリターンスプリングとを備え、ノブを押し引き操作することにより、ロータがリターンスプリングに抗して回動し、ロッドがリッド内に引き込むように構成されたサイドロック装置が記載されている。【０００６】
その実施形態には、ロータに円弧状のスリットが形成され、その周方向一端がテーパ面をなしていると共に、ノブは押し込み構造とされ、その裏側にテーパ形状の押圧面を有する押圧子が突設することが記載されている。そして、ノブを押し込むと、押圧子の押圧面により、ロータのテーパ面が押圧されて、ロータを回転させて、一対のロッドをリッド内側に引き込ませるように構成されている。
【先行技術文献】
【特許文献】
【０００７】
【特許文献１】特許第４１７３４００号公報
【特許文献２】特開２００７−１００３４３号公報
【発明の概要】
【発明が解決しようとする課題】
【０００８】
上記特許文献１のロック装置の場合、操作部材に設けられた各押し部材に対応して、各ロックピンがそれぞれ独立してスライドするようになっている。そのため、支持体の開口部が開いた状態で開閉部材を押し込んでいくと、開口部両側周縁に各ロックピンの先端部が押圧されて、各ロックピンがスプリングの付勢力に抗して開閉部材内方にそれぞれスライドしていき、各ロックピンの先端部が開口部両側の係合孔に位置すると、スプリングの付勢力により各ロックピンが開閉部材外方に押し出されて、係合孔にそれぞれ係合するようになっている。【０００９】
しかしながら、上記ロック装置では、各ロックピンがそれぞれ独立してスライドするようになっているので、開閉部材で支持体開口部を閉じていくときに、一方のロックピンのみが一方の係合孔にのみ係合する、いわゆる片掛かりが生じることがあった。【００１０】
また、上記特許文献２のサイドロック装置においては、ノブを押し込んだときに、その押圧子がロータのテーパ面を押圧して、ロータを回転させる構造となっているが、このテーパ面は、円弧状をなしたスリットの周方向一端に設けられているので、テーパ面を長く形成することは難しく、その結果、テーパ面と押圧子との当接長さを確保しにくくなり、ロータを回転させにくいことがあった。【００１１】
したがって、本発明の目的は、一対のリンクロッドのフック部が、ロック部に片掛かりすることを防止することができると共に、カム斜面の長さを長く確保して、操作部材の押し込みにより回転部材をしっかりと回転させることができる、開閉体のロック装置を提供することにある。
【課題を解決するための手段】
【００１２】
上記目的を達成するため、本発明は、固定体の開口部に開閉可能に取付けられる開閉体のロック装置であって、前記開閉体の両側又は前記固定体の開口部両側のどちらか一方に設けられたロック部と、前記開閉体又は前記固定体のどちらか他方に取付けられたハウジングと、該ハウジングに回転可能に装着された回転部材と、前記回転部材の回転に連動して同期してスライド動作し、先端に形成されたフック部が前記ロック部に係脱する一対のリンクロッドと、前記リンクロッドの各フック部を前記ロック部に係合させる方向に、前記リンクロッドを付勢するスプリングと、前記ハウジングに押し込み可能に取付けられた操作部材とを備え、前記回転部材又は前記操作部材の一方にカム斜面を有する壁部が形成され、前記回転部材又は前記操作部材の他方にカム当接部が形成され、前記カム当接部が前記カム斜面に当接することで、前記操作部材の押し込み力を前記回転部材の回転力に変換するように構成されており、前記操作部材を押し込むことにより、前記回転部材が前記スプリングの付勢力に抗して回転し、前記一対のリンクロッドをそれらのフック部が前記ロック部に係合しない位置にスライドさせるように構成されていることを特徴とする開閉体のロック装置を提供するものである。【００１３】
本発明の開閉体のロック装置においては、前記カム当接部は、前記回転部材の回転中心に対して周方向に均等に少なくとも２箇所に配置されていることが好ましい。【００１４】
本発明の開閉体のロック装置においては、前記壁部は、前記回転部材の回転軸を中心とする回転軸方向から見て、円弧状又は円筒状をなして形成されており、該壁部の端面が、周方向に沿って次第に低くなるように形成されて、前記カム斜面をなしていることが好ましい。【００１５】
本発明の開閉体のロック装置においては、前記操作部材は、前記ハウジングの表面側に押し込み可能に取付けられ、前記回転部材は、前記ハウジングの裏面側に回転可能に装着されていることが好ましい。【００１６】
本発明の開閉体のロック装置においては、前記ハウジング又は前記回転部材のうち、一方から軸部が突設され、該軸部の先端部外周から外径側に向けて突起が形成されており、前記ハウジング又は前記回転部材の他方に、前記軸部が挿通される軸孔と、該軸孔に連通して前記突起を通過させる溝部とが形成されており、前記溝部に前記突起を整合させて、前記軸孔に前記軸部を挿入し、前記溝部から前記突起を挿出させた状態で、前記回転部材を所定方向に回転させることで、前記軸孔の周縁に前記突起が係合して、前記回転部材が抜け止めされるように構成されていることが好ましい。【００１７】
本発明の開閉体のロック装置においては、前記ハウジングに対して前記操作部材を離反する方向に付勢するコイルスプリングを更に備えており、前記軸部には、前記コイルスプリングの一端を収容して支持する支持凹部が形成されていることが好ましい。【００１８】
本発明の開閉体のロック装置においては、前記回転部材又は前記操作部材に形成された、前記カム斜面を有する壁部の内径側又は外径側に、円筒部が一体的に設けられており、該円筒部は、前記操作部材が押し込まれて、前記カム当接部が前記カム斜面に当接し、前記回転部材が回転するときに、前記カム当接部のガイドをなすことが好ましい。【００１９】
本発明の開閉体のロック装置においては、前記回転部材に前記カム斜面を有する壁部が設けられ、前記操作部材に前記カム当接部が形成されていることが好ましい。【００２０】
本発明の開閉体のロック装置においては、前記回転部材は、前記ハウジングと前記操作部材との間であって、前記ハウジングの内側に回転可能に装着されていることが好ましい。【００２１】
本発明の開閉体のロック装置においては、前記操作部材に前記カム斜面を有する壁部が設けられ、前記回転部材に前記カム当接部が形成されていることが好ましい。【００２２】
本発明の開閉体のロック装置においては、前記カム当接部は、円弧状の先端面を有し、該円弧状の先端面が前記カム斜面に当接することが好ましい。【００２３】
本発明の開閉体のロック装置においては、前記一対のリンクロッドは、前記回転部材の外周の対向する位置に、それぞれ枢着されていることが好ましい。
【図面の簡単な説明】
【００２４】
【図１】本発明に係る開閉体のロック装置の第１実施形態を示す分解斜視図である。
【図２】同ロック装置を構成するハウジングを示しており、（ａ）はその斜視図、（ｂ）は（ａ）とは異なる方向から見た斜視図である。
【図３】同ロック装置を構成する回転部材を示しており、（ａ）はその斜視図、（ｂ）は（ａ）とは異なる方向から見た斜視図である。
【図４】同ロック装置を構成する操作部材を示しており、（ａ）はその斜視図、（ｂ）は（ａ）とは異なる方向から見た斜視図である。
【図５】同ロック装置であって、操作部材を取り除いた状態での、要部拡大正面図である。
【図６】同ロック装置の要部拡大正面図である。
【図７】同ロック装置の要部拡大平面図である。
【図８】同ロック装置において、回転部材及び操作部材を示す拡大背面図である。
【図９】同ロック装置を用いて開閉体を閉じた状態を示しており、（ａ）はその平面図、（ｂ）は正面図である。
【図１０】同ロック装置により開閉体を開いた状態を示しており、（ａ）はその平面図、（ｂ）は正面図である。
【図１１】同ロック装置の要部拡大背面図である。
【図１２】図６のＥ−Ｅ矢示線における断面図である。
【図１３】本発明に係る開閉体のロック装置の第２実施形態を示す、要部説明図である。
【図１４】本発明に係る開閉体のロック装置の第３実施形態を示す分解斜視図である。
【図１５】同ロック装置を、図１４とは異なる方向から見た分解斜視図である。
【図１６】同ロック装置の斜視図である。
【図１７】同ロック装置において、操作部材を押し込む前の状態を示しており、（ａ）はその正面図、（ｂ）は（ａ）のＦ−Ｆ矢視線における断面図である。
【図１８】図１７（ａ）のＧ−Ｇ矢視線における断面図である。
【図１９】同ロック装置において、操作部材を押し込む前の状態の背面図である。
【図２０】同ロック装置の、ハウジングを取り除いた状態の斜視図である。
【図２１】同ロック装置の、断面斜視図である。
【図２２】同ロック装置において、操作部材を押し込んだ状態を示しており、（ａ）はその正面図、（ｂ）は（ａ）のＨ−Ｈ矢視線における断面図である。
【図２３】本発明に係る開閉体のロック装置の第４実施形態を示す分解斜視図である。
【図２４】同ロック装置において、ハウジングに回転部材を装着した状態の斜視図である。
【図２５】本発明に関連する開閉体のロック装置を示しており、その要部拡大説明図である。
【発明を実施するための形態】
【００２５】
以下、図１〜１２を参照して、本発明に係る開閉体のロック装置の第１実施形態について説明する。
【００２６】
図１に示すように、この実施形態における開閉体のロック装置１０（以下、「ロック装置１０」という）は、車両のインストルメントパネルに設けられたグローブボックス１（本発明における「固定体」）の開口部２に、開閉可能に取付けられるリッド５（本発明における「開閉体」）を開閉ロックするために用いられるものである。
【００２７】
図１０に示すように、前記グローブボックス１の開口部２の両側部内面には、凹状のロック部３，３が設けられている。また、図１に示すように、前記リッド５は、長孔状の取付孔６ａが形成されたパネル６と、該パネル６の裏側上方に配設されたボックス７とを有し、その下部両側の支持片８を介して、グローブボックス１の開口部２に開閉可能に取付けられている。前記パネル６と前記ボックス７との間の内部空間に、ロック装置１０が配置されるようになっている。また、ボックス７の幅方向両側からは、ロッド挿出孔７ａ，７ａがそれぞれ形成されている。
【００２８】
そして、この実施形態におけるロック装置１０は、図１に示すように、前記リッド５に取付けられたハウジング２０と、該ハウジング２０に回転可能に装着された回転部材５０と、該回転部材５０に連結された一対のリンクロッド９０，９１と、これらのリンクロッド９０，９１の各フック部９２を、前記ロック部３，３に係合する方向となるように、前記回転部材５０を回転付勢するトーションスプリング９５と、前記回転部材５０の回転軸方向に沿って、前記ハウジング２０に押し込み可能に取付けられた操作部材６０と、前記ハウジング２０の正面側（表面側）に装着されるベゼル８０と、前記ハウジング２０に対して前記操作部材６０を離れる方向に付勢するコイルスプリング９７とから主として構成されている。また、回転部材５０は、ハウジング２０と操作部材６０との間であって、ハウジング２０の内側に回転可能に装着されている。
【００２９】
図３（ａ）に示すように、前記トーションスプリング９５は、コイル部９５ａと、該コイル部９５ａの一端から延出した一端部９５ｂと、前記コイル部９５ａの他端から延出した他端部９５ｃとから形成され、本発明における「スプリング」をなしている。
【００３０】
また、前記一対のリンクロッド９０，９１は所定長さで伸びる角棒状をなし、この実施形態では、リンクロッド９１の方がリンクロッド９０よりも長く形成されている。また、各リンクロッド９０，９１の先端には、外面がテーパ状をなしたフック部９２が形成されており、基端側には凹状の嵌合凹部９３が形成されている。更に、リンクロッド９１の所定位置には、キーロック受け部９４が設けられている。
【００３１】
図２（ａ），（ｂ）及び図５に示すように、前記ハウジング２０は、前記リッド５の取付孔６ａに適合して、全体として横長の箱状をなしており、その周壁２１の内部が仕切壁２３によって区切られて、回転部材５０や操作部材６０等が配置される四角枠状の配置凹部２４と、キーシリンダ８５が配置される円筒状のシリンダ配置部２５とが設けられている。
【００３２】
前記配置凹部２４の背面側（裏面側）の底部２７の中央からは、円筒状の軸部２９が正面開口側（表面開口側）へ向けて突設されており、回転部材５０を回転可能に支持すると共に、前記コイルスプリング９７の一端部を受け入れて支持するようになっている（図３（ａ）、図５及び図１２参照）。なお、軸部２９の先端側外周には、前記トーションスプリング９５のコイル部９５ａが配置される（図３（ａ）及び図１２参照）。
【００３３】
前記底部２７の軸部２９外周には、回転部材５０の回転方向に沿って円弧状に伸びるピン移動孔３１，３２が、軸部２９の軸心Ｃ１（図５参照）を中心として周方向に対向する位置に形成されている。各ピン移動孔３１，３２の周方向一端部３１ａ，３２ａは、他の部分と比べて拡径した形状をなしており、これらの一端部３１ａ，３２ａが、軸部２９の軸心Ｃ１に対して回転対称となる位置に配置されている。
【００３４】
図５に示すように、前記ピン移動孔３１の周方向一端部３１ａの、前記仕切壁２３側の内周面からは、ピン移動孔３１の内腔に向けて、舌片状の戻り規制片３３が延設されている。更にピン移動孔３２の仕切壁２３側の内周には、前記トーションスプリング９５の他端部９５ｃが係止する、段状のスプリング係止部３５が形成されている（図２（ａ）及び図５参照）。
【００３５】
図５に示すように、前記配置凹部２４の幅方向両側であって、前記軸部２９に整合する位置には、スライド孔３７，３７が形成されている。また、同配置凹部２４の四つ角部にはガイド孔３９がそれぞれ形成されており、所定のガイド孔３９にはガイド溝３９ａが形成されている。更に図２（ａ）に示すように、ハウジング２０の周壁２１の一側部２２及び仕切壁２３には、前記スライド孔３７，３７に連通するスリット２２ａ，２３ａがそれぞれ形成されている。
【００３６】
また、図２（ａ），（ｂ）に示すように、前記ハウジング２０の周壁２１の外周からは、外方に向けて複数の取付片２１ａが延設されており、これらの取付片２１ａを介してリッド５にハウジング２０が取付けられるようになっている。また、同周壁２１の外周には、ベゼル８０を取付けるための、複数の係合爪２１ｂが突設されている。
【００３７】
図１に示すように、上記ハウジング２０の正面側に装着されるベゼル８０は、シリンダ配置穴８２及び操作部材配置穴８１とを有する横長板状をなし、その外周には複数の係合片８３が設けられている。この係合片８３をハウジング２０の前記係合爪２１ｂに係合させることにより、ハウジング２０の正面側（表面側）にベゼル８０が装着されるようになっている。
【００３８】
上記ハウジング２０のシリンダ配置部２５には、図５及び図１１に示すように、キーシリンダ８５が配置されている。このキーシリンダ８５の鍵孔８６に、図示しないキーを差し込んで回転させることにより、キーシリンダ８５の背面から突設したキーロック突起８７が、リンクロッド９１のキーロック受け部９４に整合する位置に回動し、リンクロッド９１の引き込みが規制されるようになっている（図１１参照）。
【００３９】
次に、図３（ａ），（ｂ）及び図５を参照して、上記ハウジング２０に回転可能に装着される回転部材５０について説明する。
【００４０】
この回転部材５０は、円筒状をなした回転体５１を有しており、この回転体５１内に前記ハウジング２０の軸部２９が挿入されることで、回転部材５０がハウジング２０に回転可能に支持されるようになっている。なお、この回転部材５０の回転中心Ｃ２は、前記軸部２９の軸心Ｃ１と一致している（図５参照）。
【００４１】
前記回転体５１の外周の対向する部分からは、外径方向に向けて延出部５２，５２が延設されている。また、各延出部５２の一端面であって、回転部材５０の回転中心Ｃ２に対して点対称となる位置からは、回転部材５０の回転軸と平行に、すなわち、回転部材５０の回転軸を中心とする回転軸方向（以下、単に「回転部材５０の回転軸方向」という）に沿って、ピン５３，５３がそれぞれ突設されている。各ピン５３の先端部５３ａ及び基端部５３ｂは、中間部分に比べて拡径した形状とされており、先端部５３ａがリンクロッド９０，９１の基端側の嵌合凹部９３に脱着可能に嵌合し、基端部５３ｂが前記ハウジング２０のピン移動孔３１，３２内にそれぞれ配置され、回転部材５０の回転時のガタ付きを少なくしてスムーズに回転させる部分となっている。
【００４２】
更に、各延出部５２の他端面であって、回転部材５０の回転中心Ｃ２に対して点対称となる位置からは、回転部材５０の回転軸方向に沿って前面側に、カム突起５５，５５がそれぞれ突設されている。すなわち、この実施形態における回転部材５０には、その回転中心Ｃ２に対して周方向に均等な間隔をあけて、２つのカム突起５５，５５が設けられている。なお、カム突起５５の個数は特に限定されず、１つでもよいが、回転中心Ｃ２に対して周方向に均等に２つ以上配置することが好ましい。上記カム突起５５が、本発明における「カム当接部」をなしている。
【００４３】
また、各カム突起５５は、その先端面５５ａが円弧状に突出した形状をなしており、同先端面５５ａを含む先端部外周には、グリスを溜めるためのグリス溝５７が形成されている。更に、各カム突起５５の基端部の外側面には、前記ハウジング２０の戻り規制片３３（図５参照）に係合して、ピン５３，５３がピン移動孔３１，３２の一端部３１ａ，３２ａに戻るのを規制するための、戻り規制突部５６が突設されている。また、各カム突起５５の基端部の、前記戻り規制突部５６の両側には、トーションスプリング９５の一端部９５ｂが係止する、スプリング係止溝５８，５８が形成されている。
【００４４】
前記トーションスプリング９５は、そのコイル部９５ａを、回転体５１の一端面周縁に当接させて配置し、同回転体５１の先端開口から挿出したハウジング２０の軸部２９の先端外周に配置すると共に（図３（ａ）参照）、一端部９５ｂをカム突起５５の所定のスプリング係止溝５８に係止させ、他端部９５ｃを前記ハウジング２０のスプリング係止部３５（図５参照）に係止させることで装着されるようになっている。前記回転部材５０は、このトーションスプリング９５によって、所定方向、ここでは図５の矢印Ａ１方向に回転付勢されるようになっている。
【００４５】
また、リンクロッド９０，９１の基端側の嵌合凹部９３，９３に、回転部材５０の各ピン５３の先端部５３ａ，５３ａをそれぞれ嵌合させることで、一対のリンクロッド９０，９１は、回転部材５０の外周の対向する位置に、その基端側が枢着されるようになっている（図９（ｂ）、図１０（ｂ）及び図１１参照）。そして、一対のリンクロッド９０，９１は、図５の矢印Ａ１方向に回転付勢された回転部材５０を介して、グローブボックス１のロック部３，３に係合する方向となるように、フック部９２，９２が互いに離れるように付勢されるようになっている。
【００４６】
なお、本実施形態では、トーションスプリング９５を用いて回転部材５０を回転付勢させることで、間接的にリンクロッド９０，９１をスライド付勢させたが、例えば、引張りばねやコイルスプリング等を用いて、リンクロッド９０，９１の一方又は両方を、フック部９２がロック部３に係合する方向となるように、直接的にスライド付勢したり、同じく引張りばねやコイルスプリング等を用いて、回転部材５０を回転付勢させたりしてもよく、特に限定されるものではない。その場合には、引張りばねやコイルスプリング等が、本発明における「スプリング」をなす。
【００４７】
次に、図４（ａ），（ｂ）、図７及び図８を参照して、前記ハウジング２０に押し込み可能に取付けられた操作部材６０について説明する。
【００４８】
この操作部材６０は、前記ハウジング２０の配置凹部２４に適合する横長板状をなした押圧部６１を有しており、この押圧部６１の裏側中心からは、前記コイルスプリング９７の他端部を支持するスプリング支持突部６３が突設されている。
【００４９】
また、押圧部６１裏側の幅方向両側の中央部からは、係止片６５，６５が延設されており、各係止片６５には、コ字状スリットを介して係止爪６５ａが撓み可能に形成されている。これらの係止片６５，６５は、ハウジング２０のスライド孔３７，３７にスライド可能に挿入されると共に、それらの係止爪６５ａが、ハウジング２０の一側部２２のスリット２２ａの一端縁、及び、仕切壁２３のスリット２３ａの一端縁に係止することで、ハウジング２０に対して操作部材６０が抜け止め保持される（図１２参照）。
【００５０】
前記押圧部６１の裏側の四つ角部からは、ガイド片６７がそれぞれ延設されており、所定のガイド片６７の外周には、軸方向に伸びたガイドリブ６７ａが突設されている。各ガイド片６７は、ハウジング２０のガイド孔３９に挿入されると共に、ガイド孔３９に形成されたガイド溝３９ａに前記ガイドリブ６７ａが入り込み、操作部材６０のスライド移動がガイドされるようになっている（図６及び図８参照）。
【００５１】
そして、この実施形態においては、前記押圧部６１の裏側に、前記回転部材５０のカム突起５５に当接するカム斜面７１を有する一対の壁部７０，７０が、前記ハウジング２０に対する操作部材６０の押し込み方向に沿って立設されている。
【００５２】
図８に示すように、この実施形態における一対の壁部７０，７０は、回転部材５０の回転中心Ｃ２に対して周方向に均等な間隔をあけて配置されると共に、回転部材５０の回転軸方向から見たときに、前記カム突起５５，５５の回動方向に沿った円弧状に形成されている。すなわち、一対の壁部７０，７０の円弧の中心Ｃ３は、回転部材５０の回転中心Ｃ２及びハウジング２０の軸部２９の軸心Ｃ１に一致する（図８及び図１１参照）。
【００５３】
また、図４（ｂ）及び図７に示すように、一対の壁部７０，７０には、前記回転部材５０のカム突起５５，５５がそれぞれ当接して、操作部材６０の押し込み力を、回転部材５０の回転力へと変換するための、カム斜面７１，７１がそれぞれ設けられている。すなわち、円弧状の壁部７０の端面が、周方向に沿って次第に高さが低くなるように、かつ、周方向に沿って斜めにカットされて、カム斜面７１をなしている。
【００５４】
更に図４（ｂ）及び図８に示すように、一対の壁部７０，７０は、カム斜面７１の最も高く突出した周方向一端部７１ａ，７１ａどうし、及び、最も低い周方向他端部７１ｂ，７１ｂどうしが、操作部材６０の中心Ｃ３に対して、点対称をなすように配置されている。
【００５５】
また、各壁部７０の、カム斜面７１の一端部７１ａ側の外周には、柱部７３がそれぞれ連設されており、その上端部は、カム斜面７１の最も高い一端部７１ａよりもやや高く突出した形状をなしている。この柱部７３は、ハウジング２０に対して操作部材６０を押し込んでいない状態で、カム突起５５，５５に当接し、回転部材５０の回転を規制する部分となっている（図７参照）。更に図４（ｂ）及び図８に示すように、各カム斜面７１の、周方向一端部７１ａから他端部７１ｂに至る範囲には、グリスを溜めるためのグリス溝７５が形成されている。
【００５６】
上記操作部材６０は、コイルスプリング９７を介してハウジング２０に押し込み可能に装着される。このとき、コイルスプリング９７の一端部が前記ハウジング２０の軸部２９内周に挿入されて支持され、他端部が操作部材６０のスプリング支持突部６３に支持され、このコイルスプリング９７により、常時は、操作部材６０がハウジング２０の前面から離れる方向に付勢されるようになっている（図７及び図１２参照）。このとき、操作部材６０は、上述したように、係止片６５，６５の係止爪６５ａが、ハウジング２０のスリット２２ａ，２３ａに係合して抜け止めされるようになっている。
【００５７】
上記状態では、操作部材６０の壁部７０，７０の、カム斜面７１，７１の周方向一端部７１ａ，７１ａに、回転部材５０のカム突起５５，５５の、円弧状の先端面５５ａ，５５ａがそれぞれ当接した位置に保持されるようになっている（図７及び図９参照）。
【００５８】
そして、上記状態からコイルスプリング９７の付勢力に抗して、ハウジング２０に対して操作部材６０を押し込んでいくと、壁部７０，７０のカム斜面７１，７１により、カム突起５５，５５がそれぞれ押圧されて、カム突起５５がカム斜面７１の一端部７１ａから他端部７１ｂへと移動していき、それに伴ってトーションスプリング９５の回転付勢力に抗して、回転部材５０が矢印Ａ２方向（図９（ｂ）参照）に回転し、一対のリンクロッド９０，９１のフック部９２，９２が、グローブボックス１のロック部３，３に係合しない位置にスライドするようになっている（図１０参照）。
【００５９】
なお、この実施形態では、回転部材５０のカム突起５５，５５に対応して、一対の円弧状の壁部７０，７０を設けたが、カム突起５５の個数に応じて壁部７０を設けることができる。また、回転部材５０の回転軸方向から見て円筒状をなすように壁部を設けて、その端面に所定数のカム斜面７１を設けてもよい。更に、壁部を同心状となるように設け、それぞれの端面にカム斜面を形成してもよい。
【００６０】
次に、上記構成部材からなるロック装置１０の作用効果について説明する。
【００６１】
上記ロック装置１０は、例えば、次のようにして組み立てられる。すなわち、回転部材５０のピン５３，５３を、ハウジング２０のピン移動孔３１，３２の周方向一端部３１ａ，３２ａにそれぞれ挿入すると共に、回転体５１内にハウジング２０の軸部２９を挿入する。その後、回転部材５０の戻り規制突部５６が、ハウジング２０の戻り規制片３３を乗り越えるまで、軸部２９を介して回転部材５０を回転させることにより、回転部材５０のピン５３，５３が再びピン移動孔３１，３２の周方向一端部３１ａ，３２ａに戻って抜け外れることがないように、ハウジング２０の軸部２９に回転部材５０を回転可能に装着することができる（図５参照）。
【００６２】
この状態で、トーションスプリング９５のコイル部９５ａを回転体５１から挿出した軸部２９外周に配置し、一端部９５ｂをカム突起５５の所定のスプリング係止溝５８に係止させ、他端部９５ｃを前記ハウジング２０のスプリング係止部３５に係止させることで、トーションスプリング９５が装着される。
【００６３】
その後、軸部２９内周にコイルスプリング９７の一端部を挿入し、他端部を操作部材６０のスプリング支持突部６３に支持させた状態で、ハウジング２０のスライド孔３７，３７及び各ガイド孔３９に、操作部材６０の係止片６５，６５及び各ガイド片６７を整合させて、ハウジング２０に対して操作部材６０を押し込む。その結果、コイルスプリング９７で、操作部材６０がハウジング２０前面から離れる方向に付勢された状態で、係止片６５，６５の各係止爪６５ａが、ハウジング２０のスリット２２ａ，２３ａの一端縁に係止して、ハウジング２０に対して操作部材６０が押し込み可能に装着される（図１２参照）。
【００６４】
その状態でベゼル８０の係合片８３を、ハウジング２０の係合爪２１ｂに係合させることで、ハウジング２０にベゼル８０が装着される。そして、ハウジング２０を取付片２１ａを介してリッド５の取付孔６ａに取付けると共に、回転部材５０の各ピン５３の先端部５３ａ，５３ａを、リンクロッド９０，９１の嵌合凹部９３，９３にそれぞれ嵌合させることで、一対のリンクロッド９０，９１が回転部材５０の外周の対向位置に枢着され、各フック部９２，９２がリッド５のロッド挿出孔７ａにスライド可能に支持される。この状態では、トーションスプリング９５により回転部材５０が矢印Ａ１方向（図５参照）に回転付勢され、それにより一対のリンクロッド９０，９１が、グローブボックス１のロック部３，３に係合する方向に、フック部９２，９２が互いに離れるように付勢される（図９（ａ）参照）。
【００６５】
そして、グローブボックス１の開口部２を閉じるべく、リッド５を押し込むと、リンクロッド９０，９１の各フック部９２のテーパ面が、開口部２の両側内面に押圧されて、トーションスプリング９５の回転付勢力に抗して、各リンクロッド９０，９１がリッド内方に向けて引き込まれ、各フック部９２が開口部２の凹状のロック部３，３に至ると、トーションスプリング９５により回転部材５０が回転付勢されて、リンクロッド９０，９１が再度リッド外方に向けて押し出されて、各フック部９２，９２がロック部３，３にそれぞれ係合して、グローブボックス１の開口部２をリッド５で閉じた状態にロックすることができる（図９参照）。
【００６６】
このとき、このロック装置１０においては、一対のリンクロッド９０，９１が、回転部材５０の回転に連動して、同期してスライド動作するようになっているので、一対のリンクロッド９０，９１のうち、どちらか一方のリンクロッド９０，９１のフック部９２のみが、グローブボックス１のロック部３，３の一方に係合する、いわゆる片掛かりを生じにくくさせることができ、その結果、グローブボックス１の開口部２を、リッド５によって閉じた状態に安定してロックすることができる。
【００６７】
なお、この状態で図１１の想像線で示すように、キーシリンダ８５の鍵孔８６に図示しないキーを差し込んで回転させ、背面のキーロック突起８７を、リンクロッド９１のキーロック受け部９４に整合する位置に回動させることで、リンクロッド９１のリッド内方への引き込みが規制されて、上記リッド５による開口部２のロック状態が維持されるようになっている。
【００６８】
一方、グローブボックス１の開口部２からリッド５を開く場合には、コイルスプリング９７の付勢力に抗して、ハウジング２０に対して操作部材６０を押し込む。すると、操作部材６０の壁部７０，７０のカム斜面７１，７１によって、回転部材５０のカム突起５５，５５がそれぞれ押圧されて、図７の矢印Ａ３に示すように、カム突起５５がカム斜面７１上を摺接しながら高い周方向一端部７１ａから低い他端部７１ｂへと移動すると共に、トーションスプリング９５の回転付勢力に抗して、ハウジング２０の軸部２９を介して回転部材５０が矢印Ａ２方向（図９（ｂ）参照）に回転し、一対のリンクロッド９０，９１のフック部９２，９２が、グローブボックス１のロック部３，３に係合しない位置にスライドし（図１０（ａ），（ｂ））、その結果、グローブボックス１の開口部２からリッド５を移動させて、開口部２を開くことができる。
【００６９】
そして、このロック装置１０においては、回転部材５０又は操作部材６０の一方に（この実施形態では操作部材６０）、カム斜面７１を有する壁部７０を設けたので、上記特許文献２のサイドロック装置のように、ロータの円弧状スリットの一端にテーパ面を形成する場合に比べて、カム斜面７１を比較的長く形成することができ、カム斜面７１上でのカム突起５５の摺接距離を長く確保することができ、ハウジング２０に対する操作部材６０の押し込みによって、回転部材５０を比較的大きな角度でスムーズに回転させることができる。
【００７０】
また、この実施形態においては、回転部材５０に、その回転中心Ｃ２に対して周方向に均等に一対のカム突起５５，５５が設けられ、操作部材６０にも、回転部材５０の回転中心Ｃ２に一致する中心Ｃ３に対して周方向に均等に一対の壁部７０，７０が設けられており、カム突起５５とカム斜面７１を有する壁部７０とが、回転部材５０の回転中心Ｃ２に対して周方向に均等に少なくとも２つずつ形成されているので、操作部材６０の押し込み力が、回転部材５０の周方向に均等に作用して、回転部材５０の回転力によりスムーズに変換することができる。
【００７１】
更にこの実施形態では、カム斜面７１を有する壁部７０は、回転部材５０の回転軸方向から見て円弧状をなしているので、壁部７０の形状に沿ってカム突起５５を移動させることができ、カム斜面７１からカム突起５５を外れることを防止することができる。また、円弧状をなした壁部７０の端面に設けたカム斜面７１が、周方向に沿って次第に低くなるように形成されているので、比較的コンパクトな形状で、回転部材５０が回転しても、カム突起５５とカム斜面７１との当接状態を維持することができる。
【００７２】
また、この実施形態においては、操作部材６０にカム斜面７１を有する壁部７０が設けられ、回転部材５０にカム突起５５が形成されている。このように、回転部材５０側にカム突起５５を設けることにより、回転部材５０を軽量かつ小型化しやすくすることができるので、この回転部材５０が装着されるハウジング２０をコンパクト化しやすくすることができると共に、回転部材５０をスムーズに回転させることができる。
【００７３】
更にこの実施形態においては、カム突起５５は、円弧状の先端面５５ａを有し、この円弧状の先端面５５ａが、壁部７０のカム斜面７１に当接するように構成されているので、カム突起５５のカム斜面７１への当接面積を小さくすると共に、滑りやすくして、摩擦抵抗を少なくすることができ、操作部材６０の押し込む力を、よりスムーズに回転部材５０の回転力に変換することができる。また、カム突起５５の形状を薄型化して、回転部材５０をよりコンパクト化することができる。
【００７４】
また、この実施形態においては、一対のリンクロッド９０，９１の基端部側が、回転部材５０の外周の対向する位置にそれぞれ枢着されているので、ラックピニオンのようなギヤ間のバックラッシがなく、一対のリンクロッド９０，９１を、ガタ付きなくスムーズにスライドさせることができ、また、比較的簡単な構造とすることができる。
【００７５】
また、この実施形態においては、回転部材５０は、ハウジング２０と操作部材６０との間であって、ハウジング２０の内側に回転可能に装着されているので、回転部材５０がハウジング外部に露出することを防止して、外部応力等から回転部材５０を保護することができる。
【００７６】
図１３には、本発明に係る開閉体のロック装置の第２実施形態が示されている。なお、前記実施形態と実質的に同一部分には同符号を付してその説明を省略する。
【００７７】
図１３に示すように、この実施形態の開閉体のロック装置１０ａ（以下、「ロック装置１０ａ」）は、前記実施形態と比べて、ロック部の形成箇所と、それ以外の部材の配置箇所が異なっている。すなわち、このロック装置１０ａでは、本発明における「開閉体」であるリッド５ａの幅方向両側に、凹状のロック部３ａ，３ａが形成されており、本発明における「固定体」であるグローブボックス側に、ハウジング２０が取付けられた構造となっている。
【００７８】
また、ハウジング２０に回転可能に装着された回転部材５０に枢着された一対のリンクロッド９０ａ，９１ａは、その所定箇所でＬ字状に屈曲した形状をなすと共に、更にその先端部分がリッド内方に向けて折り返すように屈曲して、この部分がフック部９２，９２をなしている。更に、一対のリンクロッド９０ａ，９１ａは、リッド５ａのロック部３ａ，３ａに係合する方向、すなわち、フック部９２，９２が互いに近づく方向に（矢印Ａ４参照）、トーションスプリング９５により回転付勢された回転部材５０を介して付勢されている。
【００７９】
そして、グローブボックスの開口部がリッド５ａで閉じた状態で、ハウジング２０に対して操作部材６０を押し込むことで、前記実施形態と同様に、カム突起５５とカム斜面７１の相互作用により、トーションスプリング９５の回転付勢力に抗して回転部材５０が回転して、一対のリンクロッド９０ａ，９１ａのフック部９２，９２が、グローブボックス１のロック部３ａ，３ａに係合しない位置にスライドするようになっており、リッド５ａを開くことができるようになっている。
【００８０】
図１４〜２２には、本発明に係る開閉体のロック装置の第３実施形態が示されている。なお、前記実施形態と実質的に同一部分には同符号を付してその説明を省略する。
【００８１】
図１４及び図１５に示すように、この実施形態の開閉体のロック装置１０ｂ（以下、「ロック装置１０ｂ」）は、操作部材と回転部材の配置箇所、及び、カム斜面を有する壁部とカム当接部の設置部材が、前記実施形態と異なっている。
【００８２】
すなわち、このロック装置１０ｂは、ハウジング２０ｂの表面側に操作部材６０ｂが押し込み可能に取付けられ、ハウジング２０ｂの裏面側に回転部材５０ｂが回転可能に装着されており、また、回転部材５０ｂ側にカム斜面７１を有する壁部７２が設けられ、操作部材６０ｂ側にカム当接部１２５が設けられた構造となっている。
【００８３】
なお、本発明において、「ハウジングの表面」とは、ハウジングが取付けられる開閉体又は固定体の表側に配置される面を意味し、「ハウジングの裏面」とは、開閉体や固定体の裏側に配置される面を意味する。
【００８４】
この実施形態のハウジング２０ｂは、キーシリンダ配置部がない四角枠状をなしており、その内周の両側部には、操作部材６０ｂの係止片６５，６５がスライド可能に挿入されるガイド孔３９，３９がそれぞれ形成されている。また、ハウジング２０ｂの底部２７の裏面側中央からは軸部１０１が突設されており、その先端部外周の対向した位置からは、異形状の突起１０２，１０３が外径側に向けて突設されている。ここでは、突起１０２が突起１０３よりも長く突設した形状をなしている（図１９参照）。更に軸部１０１の表側からは、所定深さで支持凹部１０５が形成されていると共に、その底面にスプリング支持突部１０５ａが突設されており（図１８参照）、操作部材６０ｂを付勢するコイルスプリング９７が収容されて、その一端を支持するようになっている。
【００８５】
また、底部２８の裏側周縁からは、枠状壁１０７が立設されており、その内周面にトーションスプリング９５のコイル部９５ａが当接支持されるようになっている（図１７（ａ及び図１８参照）。図１５に示すように、この枠状壁１０７の周方向所定位置には、トーションスプリング９５の他端部９５ｃを係止させるための、スプリング係止部１０７ａが形成されており、また、同枠状壁１０７の他の位置には、一旦組み付けた回転部材５０ｂの戻りを規制するための、戻り規制部１０７ｂが設けられている。
【００８６】
図１８に示すように、ハウジング２０ｂの底部２８の裏面側であって、前記枠状壁１０７の内周には、回転部材５０ｂの先端部側を受け入れて回転支持するための、凹部１０９が設けられている。また、ハウジング２０ｂの底部２８であって、前記軸部１０１の両側には、操作部材６０ｂの柱状のカム当接部１２５，１２５をスライドガイドするための、スライド孔１１１，１１１が形成されている（図１４及び図１７参照）。
【００８７】
また、ハウジング２０ｂの周壁２１の裏面側からは、ロッドガイド突起１１２，１１２が突設されており（図１５参照）、これらがリンクロッド９０，９１のスライド孔９８，９８にそれぞれ挿入されて、リンクロッド９０，９１のスライドガイドをなすようになっている（図１９参照）。
【００８８】
一方、図１４、図１５及び図２０に示すように、上記ハウジング２０ｂの裏面側に装着される回転部材５０ｂには、前記実施形態の操作部材６０の壁部７０とほぼ同様な、カム斜面７１を有する一対の壁部７２，７２が、回転体５１の表面側から立設されており、その内径側に円筒部１１３が一体的に突設されている。
【００８９】
また、回転体５１及び円筒部１１３には、前記ハウジング２０ｂの軸部１０１が挿通される軸孔１１５が形成されており、更に、軸部１０１の先端外周の突起１０２，１０３を通過させる溝部１１６，１１７が、周方向に対向して軸孔１１５に連通して形成されている。なお、溝部１１６が溝部１１７よりも長く形成され、突起１０２の通過部分をなし、溝部１１７が突起１０３の通過部分をなしており、これによって回転部材５０ｂの組付け方向を規定している。
【００９０】
更に、回転体５１の裏面側であって、前記軸孔１１５の周縁には、円弧状の摩擦軽減リブ１１９，１１９が突設されている（図２０参照）。また、回転体５１の一方の延出部５２の側面からは、舌片状の戻り規制片１２１が延設され、更に、同延出部５２の表面からは、トーションスプリング９５の一端部９５ｂに係止する、バネ係止突部１２３が突設されている（図１４及び図２０参照）。
【００９１】
図１４、図１５及び図２０に示すように、ハウジング２０ｂの表面側に配置される操作部材６０ｂは、押圧部６１の裏面側であって、スプリング支持突部６３の両側に、前記回転部材５０ｂの壁部７２のカム斜面７１に当接する、柱状のカム当接部１２５，１２５が立設されている。
【００９２】
各カム当接部１２５は、細長板状の縦リブ１２６と、該縦リブ１２６の両側から、互いに斜めに広がるように連設された一対の横リブ１２７，１２７とからなり、操作部材６０ｂを裏面側から見たとき、略コ字状をなしている。また、横リブ１２７の先端外周面１２７ａ（図２０参照）は、円弧状に丸みを帯びた形をなしており、これが前記回転部材５０ｂの壁部７２のカム斜面７１に摺接するようになっている。
【００９３】
次に、この実施形態のロック装置１０ｂの作用効果について説明する。
【００９４】
このロック装置１０ｂは、例えば、次のようにして組み立てられる。すなわち、ハウジング２０ｂの支持凹部１０５内にコイルスプリング９７を収容して、その一端をスプリング支持突部１０５ａで支持すると共に、コイルスプリング９７の他端を、操作部材６０ｂのスプリング支持突部６３に支持させる。その状態で、操作部材６０ｂをハウジング２０ｂに押し込んで、操作部材６０ｂの各カム当接部１２５及び各係止片６５を、ハウジング２０ｂの各スライド孔１１１及びガイド孔３９にそれぞれ挿入すると共に、係止爪６５ａ，６５ａを、ハウジング２０ｂのスリット２２ａ，２２ａの一端縁に係止させる。それによって、図１７（ｂ）、図１８及び図２１に示すように、コイルスプリング９７により、操作部材６０ｂがハウジング２０ｂから離れる方向に付勢された状態で、ハウジング２０ｂに対して操作部材６０ｂを押し込み可能に装着することができる。
【００９５】
その後、トーションスプリング９５のコイル部９５ａを、ハウジング２０ｂの枠状壁１０７内に配置して、その内周面に当接支持させると共に、他端部９５ｃをハウジング２０ｂのスプリング係止部１０７ａ（図１５参照）に係止させる。
【００９６】
次いで、回転部材５０ｂの溝部１１６，１１７に、軸部１０１の突起１０２，１０３を整合させて、回転部材５０ｂの軸孔１１５に軸部１０１を挿入して、その突起１０２，１０３を溝部１１６，１１７の裏側から挿出させると共に、回転部材５０ｂの先端部側をハウジング２０ｂの凹部１０９に挿入し、更に、トーションスプリング９５の一端部９５ｂを、回転部材５０ｂのバネ係止突部１２３に係止させ、その状態で回転部材５０ｂを所定方向（ここでは図１５の矢印Ａ３方向）に回転させる。なお、便宜上、図１５における回転部材５０ｂは、ハウジング２０ｂに装着した後の状態を示している。
【００９７】
そして、トーションスプリング９５の一端部９５ｂをバネ係止突部１２３に引き掛けながら、トーションスプリング９５の付勢力に抗して回転部材５０ｂを回転させ、枠状壁１０７の戻り規制部１０７ｂ（図１５参照）に戻り規制片１２１が係止するまで、回転部材５０ｂを回転させることで、軸部１０１の突起１０２，１０３が、回転部材５０ｂの軸孔１１５の裏側周縁の摩擦軽減リブ１１９，１１９にそれぞれ係合して、ハウジング２０ｂの裏面側に、抜け止めされた状態で回転部材５０ｂを回転可能に装着することができる。
【００９８】
このように、この実施形態では、溝部１１６，１１７から突起１０２，１０３を挿出させた後、回転部材５０ｂを所定方向に回転させて、その突起１０２，１０３を、ハウジング２０ｂの裏面側に係合させるだけの簡単な作業で、ハウジング２０ｂに対して回転部材５０ｂを抜け止めした状態で、回転可能に装着させることができ、ハウジング２０ｂに対する回転部材５０ｂの組み付け作業性を向上させることができる。
【００９９】
また、この実施形態では、図１７（ｂ）及び図２１に示すように、軸部１０１の突起１０２，１０３は、回転体５１の裏面側であって、軸孔１１５の周縁に突設された円弧状の摩擦軽減リブ１１９，１１９に係合するようになっているので、回転部材５０ｂの回動時における摩擦抵抗を軽減できるようになっている。
【０１００】
なお、上記状態では、トーションスプリング９５により回転部材５０ｂが矢印Ａ１方向（図１９参照）に回転付勢され、それにより一対のリンクロッド９０，９１が、グローブボックス１のロック部３，３（図９参照）に係合する方向に、フック部９２，９２が互いに離れるように付勢される。
【０１０１】
また、この実施形態では、図１７（ｂ）、図１８及び図２１に示すように、前記軸部１０１に設けた支持凹部１０５に、コイルスプリング９７の一端が収容されて支持されるようになっているので、コイルスプリング９７の長さを確保しつつ、ロック装置１０ｂの薄型化を図ることができる。
【０１０２】
そして、このロック装置１０ｂでは、コイルスプリング９７の付勢力に抗して、ハウジング２０に対して操作部材６０ｂを押し込むと、操作部材６０ｂのカム当接部１２５，１２５によって、回転部材５０ｂの各壁部７２のカム斜面７１，７１がそれぞれ押圧されて、カム当接部１２５の横リブ１２７の先端外周面１２７ａ（図２０参照）がカム斜面７１上を摺接しつつ、トーションスプリング９５の回転付勢力に抗して、図２２（ａ），（ｂ）に示すように回転部材５０ｂが回転し、一対のリンクロッド９０，９１のフック部９２，９２が、グローブボックス１のロック部３，３に係合しない位置にスライドすると、グローブボックス１の開口部２からリッド５を開くことができる。
【０１０３】
このとき、この実施形態では、回転部材５０ｂに形成された、カム斜面７１を有する壁部７２，７２の内径側に、円筒部１１３が一体的に設けられており、この円筒部１１３が、操作部材６０ｂを押し込んで、カム当接部１２５がカム斜面７１上を摺接しながら移動するときに、カム当接部１２５のガイドとなるので、回転部材をスムーズに回転させることができる（図１７（ｂ）及び図２０参照）。
【０１０４】
また、図１７（ｂ）、図１８及び図２１に示すように、ハウジング２０ｂの裏面から立設した枠状壁１０７の内周面に、トーションスプリング９５のコイル部９５ａが当接支持されていて、回転部材５０ｂの両壁部７２，７２の外周面には当接していないので、回転部材５０ｂの回転動作時に、コイル部９５ａからのバネ力（回転付勢力）や摩擦力が作用することを防止することができ、回転部材５０ｂをスムーズに回転させることができる。
【０１０５】
更に、操作部材６０ｂのカム当接部１２５の横リブ１２７の先端外周面１２７ａは、円弧状に丸みを帯びているので、回転部材５０ｂのカム斜面７１上をスムーズに摺接移動させることができ、回転部材５０ｂの回転動作をより滑らかにすることができる。
【０１０６】
そして、このロック装置１０ｂにおいては、ハウジング２０ｂの裏面側に回転部材５０ｂが回転可能に装着されているので、ハウジング２０ｂの周壁２１に、回転部材５０ｂが干渉することを防止しつつ、回転部材５０の外径を大きくすることができる。その結果、回転部材５０ｂと、リンクロッド９０，９１との連設部の回転半径を大きくして、回転部材５０ｂの回転角に対する、リンクロッド９０，９１のスライド量を大きくすることができる。それによって操作部材６０ｂの押し込み量を小さくしても、リンクロッド９０，９１のストローク量を確保することができるので、ロック装置１０ｂ全体の薄型化を図ることができる。
【０１０７】
また、この実施形態では、回転部材５０ｂにカム当接部を設けず、操作部材６０ｂ側にカム当接部１２５を設けたので、ハウジング２０ｂの裏面側の壁部（底部２８）には、カム当接部１２５を前後にスライドさせるための、比較的小さなスライド孔１１１を設ければよく、ハウジング２０ｂの裏面側の壁部の剛性を向上させることができる（回転部材側にカム当接部を設ける場合は、ハウジングの裏面側の壁部に、カム当接部を回転可能に受け入れるための比較的大きな孔が必要となる）。
【０１０８】
図２３及び図２４には、本発明に係る開閉体のロック装置の第４実施形態が示されている。なお、前記実施形態と実質的に同一部分には同符号を付してその説明を省略する。
【０１０９】
この実施形態の開閉体のロック装置１０ｃ（以下、「ロック装置１０ｃ」）は、前記第３実施形態と基本的な構造は同様であるが、回転部材５０ｃ側に軸部１０１が配置され、ハウジング２０ｃ側に軸部挿入用の軸孔１１５が形成されている点が、前記第３実施形態と異なっている。
【０１１０】
すなわち、回転部材５０ｃの、壁部７２，７２及び円筒部１１３の内側であって、回転体５１の表面側中心から軸部１０１が立設されており、その先端外周の対向した位置から、同形状の突起１０２，１０２が突設されている。
【０１１１】
一方、ハウジング２０ｃの底部２８の中央であって、前記スライド孔１１１，１１１の間に、前記軸部１０１が挿通される軸孔１１５が形成されており、この軸孔１１５の両側には、前記軸部１０１の突起１０２，１０２を通過させるための、溝部１１６，１１６が前記スライド孔１１１に連通して形成されている。また、軸孔１１５及び溝部１１６，１１６の裏側周縁からは、円弧状の支持壁１２９，１２９がそれぞれ突設されており、軸孔１１５に挿入された軸部１０１を回転支持する部分となっている。
【０１１２】
そして、ハウジング２０ｃの溝部１１６，１１６に、軸部１０１の突起１０２，１０２を整合させ、ハウジング２０ｃの軸孔１１５に軸部１０１を挿入して、その突起１０２，１０２を溝部１１６，１１６の表側から挿出させた後、回転部材５０ｃを所定方向に回転させることで、ハウジング２０ｂの裏面側に、回転部材５０ｃを抜け止めした態で回転可能に装着することができる（図２４参照）。
【０１１３】
なお、前記第３実施形態と同様に、軸部１０１の先端外周から突設した一対の突起を異形状とし（例えば、一方の突起を幅狭にする等）、これに整合するように、軸孔１１５の両側に配置された一対の溝部を形成してもよく、それによって組付け方向を規定することができる。
【０１１４】
図２５には、本発明に関連する開閉体のロック装置の実施形態が示されている。なお、前記実施形態と実質的に同一部分には同符号を付してその説明を省略する。
【０１１５】
この開閉体のロック装置１０ｄ（以下、「ロック装置１０ｄ」）は、固定体又は開閉体に、小径歯５９ａ及び大径歯５９ｂを有する２段歯車状の回転部材５０ａが回転可能に支持されていると共に、基端部にラック溝９３ｂが形成された一対のリンクロッド９０ｂ，９１ｂが、そのラック溝９３ｂ，９３ｂを前記回転部材５０ａの大径歯５９ｂに歯合させて、回転部材５０ａの回転動作に同期して一対のリンクロッド９０ｂ，９１ｂがスライド動作するように構成されている。更に、操作部材６０ａの裏側から延出したＵ字状の壁部７０ａの内面に平歯７０ｂが形成され、この壁部７０ａ内に回転部材５０ａの小径歯５９ａが配置され、操作部材６０ａが図示しないハウジングに押し込み可能に取付けられている。なお、リンクロッド９０ｂ，９１ｂの一方は、図示しないスプリングにより、フック部がロック部に係合する方向にスライド付勢するようになっている。
【０１１６】
そして、操作部材６０ａを図示しないハウジングに対して押し込むと、壁部７０ａ内の平歯７０ｂが回転部材５０ａの小径歯５９ａに歯合して、回転部材５０ａを回転させることで、回転部材５０ａの大径歯５９ｂにラック溝９３ｂを介して歯合した一対のリンクロッド９０ｂ，９１ｂを、図示しないスプリングの付勢力に抗して、各フック部をロック部に係合しない方向にスライドさせるようになっている。
【０１１７】
なお、以上の実施形態では、開閉体のロック装置を、グローブボックス１の開口部２にリッド５が開閉可能に取付けられた構造に適用したが、これに限定されず、例えば、インストルメントパネルの開口部にグローブボックスが回動可能に取付けられた構造や（インストルメントパネルが「固定体」、グローブボックスが「開閉体」をなす）、インストルメントパネルの開口部にリッドが開閉可能に取付けられた構造（インストルメントパネルが「固定体」、リッドが「開閉体」をなす）等に適用してもよく、固定体の開口部を開閉する各種の開閉体に広く用いることができる。
【符号の説明】
【０１１８】
１  グローブボックス（固定体）
２  開口部
３，３ａ  ロック部
５，５ａ  リッド（開閉体）
６  パネル
１０，１０ａ，１０ｂ，１０ｃ  ロック装置
２０，２０ｂ，２０ｃ  ハウジング
５０，５０ｂ，５０ｃ  回転部材
５５  カム突起
５５ａ  先端面
６０，６０ｂ  操作部材
７０,７２  壁部
８０  ベゼル
８５  キーシリンダ
９０，９１    リンクロッド
９２  フック部
９３  嵌合凹部
９５  トーションスプリング
９７  コイルスプリング
１０１  軸部
１０２,１０３  突起
１１５  軸孔
１１６,１１７  溝部
１２５  カム当接部
【図１】
2013187388.tif 000003
【図２】
2013187388.tif 000004
【図３】
2013187388.tif 000005
【図４】
2013187388.tif 000006
【図５】
2013187388.tif 000007
【図６】
2013187388.tif 000008
【図７】
2013187388.tif 000009
【図８】
2013187388.tif 000010
【図９】
2013187388.tif 000011
【図１０】
2013187388.tif 000012
【図１１】
2013187388.tif 000013
【図１２】
2013187388.tif 000014
【図１３】
2013187388.tif 000015
【図１４】
2013187388.tif 000016
【図１５】
2013187388.tif 000017
【図１６】
2013187388.tif 000018
【図１７】
2013187388.tif 000019
【図１８】
2013187388.tif 000020
【図１９】
2013187388.tif 000021
【図２０】
2013187388.tif 000022
【図２１】
2013187388.tif 000023
【図２２】
2013187388.tif 000024
【図２３】
2013187388.tif 000025
【図２４】
2013187388.tif 000026
【図２５】
2013187388.tif 000027
【手続補正書】
【提出日】平成27年9月30日(2015.9.30)
【手続補正１】
【補正対象書類名】特許請求の範囲
【補正対象項目名】全文
【補正方法】変更
【補正の内容】
【特許請求の範囲】
【請求項１】
固定体の開口部に開閉可能に取付けられる開閉体のロック装置であって、  前記開閉体の両側又は前記固定体の開口部両側のどちらか一方に設けられたロック部と、  前記開閉体又は前記固定体のどちらか他方に取付けられたハウジングと、  該ハウジングに回転可能に装着された回転部材と、  前記回転部材の回転に連動して同期してスライド動作し、先端に形成されたフック部が前記ロック部に係脱する一対のリンクロッドと、  前記リンクロッドの各フック部を前記ロック部に係合させる方向に、前記リンクロッドを付勢するスプリングと、  前記ハウジングに押し込み可能に取付けられた操作部材とを備え、  前記操作部材にカム斜面を有する壁部が形成され、前記回転部材にカム当接部が形成され、前記カム当接部が前記カム斜面に当接することで、前記操作部材の押し込み力を前記回転部材の回転力に変換するように構成されており、  前記操作部材を押し込むことにより、前記回転部材が前記スプリングの付勢力に抗して回転し、前記一対のリンクロッドをそれらのフック部が前記ロック部に係合しない位置にスライドさせるように構成されていることを特徴とする開閉体のロック装置。
【請求項２】
前記ハウジングから軸部が突設され、該軸部の先端部外周から外径側に向けて突起が形成されており、  前記回転部材に、前記軸部が挿通される軸孔と、該軸孔に連通して前記突起を通過させる溝部とが形成されており、  前記溝部に前記突起を整合させて、前記軸孔に前記軸部を挿入し、前記溝部から前記突起を挿出させた状態で、前記回転部材を所定方向に回転させることで、前記軸孔の周縁に前記突起が係合して、前記回転部材が抜け止めされるように構成されており、  前記カム当接部と前記溝部は、前記軸孔の周方向において互いに位置をずらして配置されている請求項１記載の開閉体のロック装置。
【請求項３】
各リンクロッドには凹状の嵌合凹部が形成され、前記回転部材にはピンが突設されており、該ピンが前記嵌合凹部に挿入されることで、一対のリンクロッドが前記回転部材に枢着されるように構成されており、  前記カム当接部は、前記ピンよりも前記回転部材の中心寄りに配置されている請求項１記載の開閉体のロック装置。
【請求項４】
固定体の開口部に開閉可能に取付けられる開閉体のロック装置であって、  前記開閉体の両側又は前記固定体の開口部両側のどちらか一方に設けられたロック部と、  前記開閉体又は前記固定体のどちらか他方に取付けられたハウジングと、  該ハウジングに回転可能に装着された回転部材と、  前記回転部材の回転に連動して同期してスライド動作し、先端に形成されたフック部が前記ロック部に係脱する一対のリンクロッドと、  前記リンクロッドの各フック部を前記ロック部に係合させる方向に、前記リンクロッドを付勢するスプリングと、  前記ハウジングに押し込み可能に取付けられた操作部材とを備え、  前記回転部材又は前記操作部材の一方にカム斜面を有する壁部が形成され、前記回転部材又は前記操作部材の他方にカム当接部が形成され、前記カム当接部が前記カム斜面に当接することで、前記操作部材の押し込み力を前記回転部材の回転力に変換するように構成されており、  前記操作部材を押し込むことにより、前記回転部材が前記スプリングの付勢力に抗して回転し、前記一対のリンクロッドをそれらのフック部が前記ロック部に係合しない位置にスライドさせるように構成されており、  前記ハウジング又は前記回転部材のうち、一方から軸部が突設され、該軸部の先端部外周から外径側に向けて突起が形成されており、  前記ハウジング又は前記回転部材の他方に、前記軸部が挿通される軸孔と、該軸孔に連通して前記突起を通過させる溝部とが形成されており、  前記溝部に前記突起を整合させて、前記軸孔に前記軸部を挿入し、前記溝部から前記突起を挿出させた状態で、前記回転部材を所定方向に回転させることで、前記軸孔の周縁に前記突起が係合して、前記回転部材が抜け止めされるように構成されていることを特徴とする開閉体のロック装置。
【請求項５】
固定体の開口部に開閉可能に取付けられる開閉体のロック装置であって、  前記開閉体の両側又は前記固定体の開口部両側のどちらか一方に設けられたロック部と、  前記開閉体又は前記固定体のどちらか他方に取付けられたハウジングと、  該ハウジングに回転可能に装着された回転部材と、  前記回転部材の回転に連動して同期してスライド動作し、先端に形成されたフック部が前記ロック部に係脱する一対のリンクロッドと、  前記リンクロッドの各フック部を前記ロック部に係合させる方向に、前記リンクロッドを付勢するスプリングと、  前記ハウジングに押し込み可能に取付けられた操作部材とを備え、  前記回転部材又は前記操作部材の一方にカム斜面を有する壁部が形成され、前記回転部材又は前記操作部材の他方にカム当接部が形成され、前記カム当接部が前記カム斜面に当接することで、前記操作部材の押し込み力を前記回転部材の回転力に変換するように構成されており、  各リンクロッドには凹状の嵌合凹部が形成され、前記回転部材にはピンが突設されており、該ピンが前記嵌合凹部に挿入されることで、一対のリンクロッドが前記回転部材に枢着されるように構成されていることを特徴とする開閉体のロック装置。
【請求項６】
固定体の開口部に開閉可能に取付けられる開閉体のロック装置であって、  前記開閉体の両側又は前記固定体の開口部両側のどちらか一方に設けられたロック部と、  前記開閉体又は前記固定体のどちらか他方に取付けられたハウジングと、  該ハウジングに回転可能に装着された回転部材と、  前記回転部材の回転に連動して同期してスライド動作し、先端に形成されたフック部が前記ロック部に係脱する一対のリンクロッドと、  前記リンクロッドの各フック部を前記ロック部に係合させる方向に、前記リンクロッドを付勢するスプリングと、  前記ハウジングに押し込み可能に取付けられた操作部材とを備え、  前記回転部材又は前記操作部材の一方にカム斜面を有する壁部が形成され、前記回転部材又は前記操作部材の他方にカム当接部が形成され、前記カム当接部が前記カム斜面に当接することで、前記操作部材の押し込み力を前記回転部材の回転力に変換するように構成されており、  前記ハウジングにはガイド溝が形成され、前記操作部材には、前記ガイド溝に入り込んで、前記操作部材の押し込み移動をガイドするガイドリブが形成されていることを特徴とする開閉体のロック装置。
【請求項７】
前記ハウジングは、前記操作部材が配置される配置凹部を有し、該配置凹部の内周に複数の前記ガイド溝が形成されており、  前記操作部材は、前記配置凹部に適合する押圧部を有し、該押圧部の外周に、前記ガイド溝に適合する複数の前記ガイドリブが配置されており、  前記カム斜面に対して前記カム当接部が整合する状態で、前記ガイド溝の位置と前記ガイドリブの位置とが整合するように構成されている請求項６記載の開閉体のロック装置。
【請求項８】
固定体の開口部に開閉可能に取付けられる開閉体のロック装置であって、  前記開閉体の両側又は前記固定体の開口部両側のどちらか一方に設けられたロック部と、  前記開閉体又は前記固定体のどちらか他方に取付けられたハウジングと、  該ハウジングに回転可能に装着された回転部材と、  前記回転部材の回転に連動して同期してスライド動作し、先端に形成されたフック部が前記ロック部に係脱する一対のリンクロッドと、  前記リンクロッドの各フック部を前記ロック部に係合させる方向に、前記リンクロッドを付勢するスプリングと、  前記ハウジングに押し込み可能に取付けられた操作部材とを備え、  前記回転部材又は前記操作部材の一方にカム斜面を有する壁部が形成され、前記回転部材又は前記操作部材の他方にカム当接部が形成され、前記カム当接部が前記カム斜面に当接することで、前記操作部材の押し込み力を前記回転部材の回転力に変換するように構成されており、  前記操作部材を押し込むことにより、前記回転部材が前記スプリングの付勢力に抗して回転し、前記一対のリンクロッドをそれらのフック部が前記ロック部に係合しない位置にスライドさせるように構成されており、  前記回転部材又は前記操作部材に形成された、前記カム斜面を有する壁部の内径側又は外径側に、円筒部が一体的に設けられており、  該円筒部は、前記操作部材が押し込まれて、前記カム当接部が前記カム斜面に当接し、前記回転部材が回転するときに、前記カム当接部のガイドをなすことを特徴とする開閉体のロック装置。
【請求項９】
固定体の開口部に開閉可能に取付けられる開閉体のロック装置であって、  前記開閉体の両側又は前記固定体の開口部両側のどちらか一方に設けられたロック部と、  前記開閉体又は前記固定体のどちらか他方に取付けられたハウジングと、  該ハウジングに回転可能に装着された回転部材と、  前記回転部材の回転に連動して同期してスライド動作し、先端に形成されたフック部が前記ロック部に係脱する一対のリンクロッドと、  前記リンクロッドの各フック部を前記ロック部に係合させる方向に、前記リンクロッドを付勢するスプリングと、  前記ハウジングに押し込み可能に取付けられた操作部材とを備え、  前記回転部材又は前記操作部材の一方にカム斜面を有する壁部が形成され、前記回転部材又は前記操作部材の他方にカム当接部が形成され、前記カム当接部が前記カム斜面に当接することで、前記操作部材の押し込み力を前記回転部材の回転力に変換するように構成されており、  前記操作部材を押し込むことにより、前記回転部材が前記スプリングの付勢力に抗して回転し、前記一対のリンクロッドをそれらのフック部が前記ロック部に係合しない位置にスライドさせるように構成されており、  前記回転部材は、前記ハウジングと前記操作部材との間であって、前記ハウジングの内側に回転可能に装着されていることを特徴とする開閉体のロック装置。
【請求項１０】
前記カム当接部は、前記回転部材の回転中心に対して周方向に均等に少なくとも２箇所に配置されている請求項１〜９のいずれか１つに記載の開閉体のロック装置。
【請求項１１】
前記壁部は、前記回転部材の回転軸を中心とする回転軸方向から見て、円弧状又は円筒状をなして形成されており、該壁部の端面が、周方向に沿って次第に低くなるように形成されて、前記カム斜面をなしている請求項１〜１０のいずれか１つに記載の開閉体のロック装置。
【請求項１２】
前記操作部材は、前記ハウジングの表面側に押し込み可能に取付けられ、  前記回転部材は、前記ハウジングの裏面側に回転可能に装着されている請求項１〜１１のいずれか１つに記載の開閉体のロック装置。
【請求項１３】
前記ハウジングに対して前記操作部材を離反する方向に付勢するコイルスプリングを更に備えており、  前記軸部には、前記コイルスプリングの一端を収容して支持する支持凹部が形成されている請求項４記載の開閉体のロック装置。
【請求項１４】
前記回転部材に前記カム斜面を有する壁部が設けられ、前記操作部材に前記カム当接部が形成されている請求項４〜１３のいずれか１つに記載の開閉体のロック装置。
【請求項１５】
前記カム当接部は、円弧状の先端面を有し、該円弧状の先端面が前記カム斜面に当接する請求項１〜１４のいずれか１つに記載の開閉体のロック装置。
【請求項１６】
前記一対のリンクロッドは、前記回転部材の外周の対向する位置に、それぞれ枢着されている請求項１〜１５のいずれか１つに記載の開閉体のロック装置。
【手続補正２】
【補正対象書類名】明細書
【補正対象項目名】００１２
【補正方法】変更
【補正の内容】
【００１２】  上記目的を達成するため、本発明の１つは、固定体の開口部に開閉可能に取付けられる開閉体のロック装置であって、前記開閉体の両側又は前記固定体の開口部両側のどちらか一方に設けられたロック部と、前記開閉体又は前記固定体のどちらか他方に取付けられたハウジングと、該ハウジングに回転可能に装着された回転部材と、前記回転部材の回転に連動して同期してスライド動作し、先端に形成されたフック部が前記ロック部に係脱する一対のリンクロッドと、前記リンクロッドの各フック部を前記ロック部に係合させる方向に、前記リンクロッドを付勢するスプリングと、前記ハウジングに押し込み可能に取付けられた操作部材とを備え、前記操作部材にカム斜面を有する壁部が形成され、前記回転部材にカム当接部が形成され、前記カム当接部が前記カム斜面に当接することで、前記操作部材の押し込み力を前記回転部材の回転力に変換するように構成されており、前記操作部材を押し込むことにより、前記回転部材が前記スプリングの付勢力に抗して回転し、前記一対のリンクロッドをそれらのフック部が前記ロック部に係合しない位置にスライドさせるように構成されていることを特徴とする開閉体のロック装置を提供するものである。  本発明においては、前記ハウジングから軸部が突設され、該軸部の先端部外周から外径側に向けて突起が形成されており、前記回転部材に、前記軸部が挿通される軸孔と、該軸孔に連通して前記突起を通過させる溝部とが形成されており、前記溝部に前記突起を整合させて、前記軸孔に前記軸部を挿入し、前記溝部から前記突起を挿出させた状態で、前記回転部材を所定方向に回転させることで、前記軸孔の周縁に前記突起が係合して、前記回転部材が抜け止めされるように構成されており、前記カム当接部と前記溝部は、前記軸孔の周方向において互いに位置をずらして配置されていることが好ましい。  本発明においては、各リンクロッドには凹状の嵌合凹部が形成され、前記回転部材にはピンが突設されており、該ピンが前記嵌合凹部に挿入されることで、一対のリンクロッドが前記回転部材に枢着されるように構成されており、前記カム当接部は、前記ピンよりも前記回転部材の中心寄りに配置されていることが好ましい。  また、本発明の１つは、固定体の開口部に開閉可能に取付けられる開閉体のロック装置であって、前記開閉体の両側又は前記固定体の開口部両側のどちらか一方に設けられたロック部と、前記開閉体又は前記固定体のどちらか他方に取付けられたハウジングと、該ハウジングに回転可能に装着された回転部材と、前記回転部材の回転に連動して同期してスライド動作し、先端に形成されたフック部が前記ロック部に係脱する一対のリンクロッドと、前記リンクロッドの各フック部を前記ロック部に係合させる方向に、前記リンクロッドを付勢するスプリングと、前記ハウジングに押し込み可能に取付けられた操作部材とを備え、前記回転部材又は前記操作部材の一方にカム斜面を有する壁部が形成され、前記回転部材又は前記操作部材の他方にカム当接部が形成され、前記カム当接部が前記カム斜面に当接することで、前記操作部材の押し込み力を前記回転部材の回転力に変換するように構成されており、前記操作部材を押し込むこと���より、前記回転部材が前記スプリングの付勢力に抗して回転し、前記一対のリンクロッドをそれらのフック部が前記ロック部に係合しない位置にスライドさせるように構成されており、前記ハウジング又は前記回転部材のうち、一方から軸部が突設され、該軸部の先端部外周から外径側に向けて突起が形成されており、前記ハウジング又は前記回転部材の他方に、前記軸部が挿通される軸孔と、該軸孔に連通して前記突起を通過させる溝部とが形成されており、前記溝部に前記突起を整合させて、前記軸孔に前記軸部を挿入し、前記溝部から前記突起を挿出させた状態で、前記回転部材を所定方向に回転させることで、前記軸孔の周縁に前記突起が係合して、前記回転部材が抜け止めされるように構成されていることを特徴とする開閉体のロック装置を提供するものである。  更に、本発明の１つは、固定体の開口部に開閉可能に取付けられる開閉体のロック装置であって、前記開閉体の両側又は前記固定体の開口部両側のどちらか一方に設けられたロック部と、前記開閉体又は前記固定体のどちらか他方に取付けられたハウジングと、該ハウジングに回転可能に装着された回転部材と、前記回転部材の回転に連動して同期してスライド動作し、先端に形成されたフック部が前記ロック部に係脱する一対のリンクロッドと、前記リンクロッドの各フック部を前記ロック部に係合させる方向に、前記リンクロッドを付勢するスプリングと、前記ハウジングに押し込み可能に取付けられた操作部材とを備え、前記回転部材又は前記操作部材の一方にカム斜面を有する壁部が形成され、前記回転部材又は前記操作部材の他方にカム当接部が形成され、前記カム当接部が前記カム斜面に当接することで、前記操作部材の押し込み力を前記回転部材の回転力に変換するように構成されており、各リンクロッドには凹状の嵌合凹部が形成され、前記回転部材にはピンが突設されており、該ピンが前記嵌合凹部に挿入されることで、一対のリンクロッドが前記回転部材に枢着されるように構成されていることを特徴とする開閉体のロック装置を提供するものである。  また、本発明の１つは、固定体の開口部に開閉可能に取付けられる開閉体のロック装置であって、前記開閉体の両側又は前記固定体の開口部両側のどちらか一方に設けられたロック部と、前記開閉体又は前記固定体のどちらか他方に取付けられたハウジングと、該ハウジングに回転可能に装着された回転部材と、前記回転部材の回転に連動して同期してスライド動作し、先端に形成されたフック部が前記ロック部に係脱する一対のリンクロッドと、前記リンクロッドの各フック部を前記ロック部に係合させる方向に、前記リンクロッドを付勢するスプリングと、前記ハウジングに押し込み可能に取付けられた操作部材とを備え、前記回転部材又は前記操作部材の一方にカム斜面を有する壁部が形成され、前記回転部材又は前記操作部材の他方にカム当接部が形成され、前記カム当接部が前記カム斜面に当接することで、前記操作部材の押し込み力を前記回転部材の回転力に変換するように構成されており、前記ハウジングにはガイド溝が形成され、前記操作部材には、前記ガイド溝に入り込んで、前記操作部材の押し込み移動をガイドするガイドリブが形成されていることを特徴とする開閉体のロック装置を提供するものである。  本発明においては、前記ハウジングは、前記操作部材が配置される配置凹部を有しており、前記操作部材は、前記配置凹部に適合する横長板状をなす押圧部を有しており、前記押圧部の外周に、複数の前記ガイドリブが突設され、各ガイドリブは、前記押圧部の中心に対して点対称とならない位置に形成されており、前記配置凹部の内周に、複数のガイドリブに適合する前記ガイド溝が形成されていることが好ましい。  更に、本発明の１つは、固定体の開口部に開閉可能に取付けられる開閉体のロック装置であって、前記開閉体の両側又は前記固定体の開口部両側のどちらか一方に設けられたロック部と、前記開閉体又は前記固定体のどちらか他方に取付けられたハウジングと、該ハウジングに回転可能に装着された回転部材と、前記回転部材の回転に連動して同期してスライド動作し、先端に形成されたフック部が前記ロック部に係脱する一対のリンクロッドと、前記リンクロッドの各フック部を前記ロック部に係合させる方向に、前記リンクロッドを付勢するスプリングと、前記ハウジングに押し込み可能に取付けられた操作部材とを備え、前記回転部材又は前記操作部材の一方にカム斜面を有する壁部が形成され、前記回転部材又は前記操作部材の他方にカム当接部が形成され、前記カム当接部が前記カム斜面に当接することで、前記操作部材の押し込み力を前記回転部材の回転力に変換するように構成されており、前記操作部材を押し込むことにより、前記回転部材が前記スプリングの付勢力に抗して回転し、前記一対のリンクロッドをそれらのフック部が前記ロック部に係合しない位置にスライドさせるように構成されており、前記回転部材又は前記操作部材に形成された、前記カム斜面を有する壁部の内径側又は外径側に、円筒部が一体的に設けられており、該円筒部は、前記操作部材が押し込まれて、前記カム当接部が前記カム斜面に当接し、前記回転部材が回転するときに、前記カム当接部のガイドをなすことを特徴とする開閉体のロック装置を提供するものである。  また、本発明の１つは、固定体の開口部に開閉可能に取付けられる開閉体のロック装置であって、前記開閉体の両側又は前記固定体の開口部両側のどちらか一方に設けられたロック部と、前記開閉体又は前記固定体のどちらか他方に取付けられたハウジングと、該ハウジングに回転可能に装着された回転部材と、前記回転部材の回転に連動して同期してスライド動作し、先端に形成されたフック部が前記ロック部に係脱する一対のリンクロッドと、前記リンクロッドの各フック部を前記ロック部に係合させる方向に、前記リンクロッドを付勢するスプリングと、前記ハウジングに押し込み可能に取付けられた操作部材とを備え、前記回転部材又は前記操作部材の一方にカム斜面を有する壁部が形成され、前記回転部材又は前記操作部材の他方にカム当接部が形成され、前記カム当接部が前記カム斜面に当接することで、前記操作部材の押し込み力を前記回転部材の回転力に変換するように構成されており、前記操作部材を押し込むことにより、前記回転部材が前記スプリングの付勢力に抗して回転し、前記一対のリンクロッドをそれらのフック部が前記ロック部に係合しない位置にスライドさせるように構成されており、前記回転部材は、前記ハウジングと前記操作部材との間であって、前記ハウジングの内側に回転可能に装着されていることを特徴とする開閉体のロック装置を提供するものである。
【手続補正３】
【補正対象書類名】明細書
【補正対象項目名】００１６
【補正方法】削除
【補正の内容】
【手続補正４】
【補正対象書類名】明細書
【補正対象項目名】００１８
【補正方法】削除
【補正の内容】
【手続補正５】
【補正対象書類名】明細書
【補正対象項目名】００２０
【補正方法】削除
【補正の内容】
【手続補正６】
【補正対象書類名】明細書
【補正対象項目名】００２１
【補正方法】削除
【補正の内容】
【国際調査報告】
2013187388.tif 000028
2013187388.tif 000029